(57)【要約】【課題】浴室に取り付けられるインターホン装置では、浴室内の音声を集音して電気信号に変換する集音マイク５を取り付けなければならない。従来は筐体の一部に開口を設けてその開口を通して音声が筐体内の集音マイクに到達するようにしていた。ただし、浴室に取り付けられるため、この開口を通して湯水が筐体内に侵入するとインターホン装置の故障の原因となる。そのため、開口は防水シートで塞がれるが、この防水シートは水蒸気を通過させるので筐体内で結露し、インターホン装置が故障するおそれがあった。【解決手段】集音用の開口を設けることなく、筐体の壁部を通過して伝播した音声を集音マイク５で集音するようにした。なお、筐体内の音声Ｓａが集音部５ａに到達するようにスペーサ部３４とスペーサ突起３５で集音マイク５と筐体の内周面との間に隙間が形成されるようにした。【選択図】  図４
2006033494.tif 000002
【特許請求の範囲】
【請求項１】
浴室内に設置され、防水構造の筐体内に浴室内の音声を集音する集音マイクを備えたインターホン装置において、上記筐体は集音用の開口部が形成されておらず、かつ上記集音マイクは、筐体の内周壁面との間に所定の隙間を存して取り付けられており、集音マイクは、筐体の壁部を通過して筐体内部に伝播した音声を、この隙間を通して集音することを特徴とするインターホン装置。
【請求項２】
上記筐体の内周面から突起を突設すると共に、集音マイクをこの突起と筐体の内周面との間に挟み込んで集音マイクを保持するようにしたことを特徴とする請求項１記載のインターホン装置。
【請求項３】
上記集音マイクは集音部分を筐体の内周面に対向させた状態で保持されると共に、少なくとも突起の基部に上記隙間を確保するスペーサ部を形成したことを特徴とする請求項２に記載のインターホン装置。
【請求項４】
上記筐体の壁部であって、集音マイクの集音部分が対向する部分の厚みを他の部分の厚みより薄く成形したことを特徴とする請求項３に記載のインターホン装置。
【請求項５】
上記筐体内には浴室外に設置された他のインターホン装置からの音声信号を再生するスピーカが取り付けられており、上記集音マイクにて音声を集音している状態では、このスピーカの作動を禁止する再生禁止手段を設けたことを特徴とする請求項１から請求項４のいずれかに記載のインターホン装置。
【請求項６】
インターホン機能のほかに少なくともリモコン機能を含む他の機能を備えており、他の機能の作動に伴う音声を上記スピーカで再生すると共に、集音マイクにて音声を集音している状態では上記再生禁止手段によって、上記他の機能の作動に伴う音声の再生を禁止するようにしたことを特徴とする請求項５記載のインターホン装置。
【発明の詳細な説明】
【技術分野】
【０００１】
本発明は、浴室に取り付けられ防水構造の筐体を備えたインターホン装置に関する。
【背景技術】
【０００２】
浴室内に取り付けられるインターホン装置は常に湯水がかかり、かつ高湿度の雰囲気にさらされる。インターホン装置内には浴室内から外部の者へ話しかけるため集音マイクが取り付けられているが、インターホン装置に筐体の外側から集音マイクへ音声を通過させる貫通穴を筐体の壁部に設けると、その貫通孔を通って湯水が侵入し故障の原因となる。
【０００３】
そこで、この貫通孔を防水シートで塞ぎ、貫通孔から筐体内部へ湯水が侵入しないようにしたものが知られている（例えば、特許文献１および特許文献２参照）。
【０００４】
ただし、防水シートは湯水は透過させないが水蒸気を透過させるので、防水シートを透過して筐体内に侵入した水蒸気が筐体内で結露するおそれが生じる。
【０００５】
そこで、筐体の貫通孔を筐体と一体となった厚み０．６ｍｍ〜０．８ｍｍの振動板で完全に封鎖し、この振動板を外部からの音声によって振動させ、振動板の背面側に設けた放音孔と呼ばれる貫通孔を通った音声を集音マイクで集音するようにしたものが知られている（例えば、特許文献３参照）。
【特許文献１】特開平１１−７４９５５号公報（段落００２５、図１０）
【特許文献２】特開２０００−２７７９３４号公報（段落００２７、図３）
【特許文献３】特開平９−８４１６７号公報（段落００１７、００１９、図１、図２）
【発明の開示】
【発明が解決しようとする課題】
【０００６】
上記特許文献３に記載のものは特許文献１および特許文献２に記載されたものより防水性が高い。ところが、外部からの音声で振動板を振動させてその振動によって生じる筐体内方向への音声を集音マイクで集音しているので、０．６ｍｍ〜０．８ｍｍ程度とはいえ、振動板から集音マイクに供給される音声は筐体外の音声に比べて大幅に減衰されるという不具合が生じる。
【０００７】
そこで本発明は、上記の問題点に鑑み、筐体の防水性を損なうことなく、集音マイクに十分に集音させることのできるインターホン装置を提供することを課題とする。
【課題を解決するための手段】
【０００８】
上記課題を解決するために本発明によるインターホン装置は、浴室内に設置され、防水構造の筐体内に浴室内の音声を集音する集音マイクを備えたインターホン装置において、上記筐体は集音用の開口部が形成されておらず、かつ上記集音マイクは、筐体の内周壁面との間に所定の隙間を存して取り付けられており、集音マイクは、筐体の壁部を通過して筐体内部に伝播した音声を、この隙間を通して集音することを特徴とする。
【０００９】
筐体に集音用の開口部が形成されていない場合には、浴室内の音声は筐体の壁部のあらゆる個所を通過して筐体内に伝播する。この筐体内に伝播した音声を集音マイクで集音すれば集音用の開口部が形成されていなくてもよい。ただし、集音マイクが筐体の内周壁面に密着していれば、筐体内に伝播した音声が集音マイクに集音されにくい。そこで、筐体の内周壁面と集音マイクとの間に隙間を確保して、集音マイクは筐体内に伝播した音声をこの隙間を通して集音するようにした。
【００１０】
ところで、上記筐体の内周面から突起を突設すると共に、集音マイクをこの突起と筐体の内周面との間に挟み込んで集音マイクを保持するように構成すれば、筐体内の音声を確実に集音することができる。
【００１１】
上記集音マイクは集音部分を筐体の内周面に対向させた状態で保持されると共に、少なくとも突起の基部に上記隙間を確保するスペーサ部を形成しておけばよい。
【００１２】
また、上記筐体の壁部であって、集音マイクの集音部分が対向する部分の厚みを他の部分の厚みより薄く成形すれば、集音マイク近傍に多くの音声を透過させることができる。
【００１３】
ところで、上記筐体内には浴室外に設置された他のインターホン装置からの音声信号を再生するスピーカが取り付けられており、上記集音マイクにて音声を集音している状態では、このスピーカの作動を禁止する再生禁止手段を設ければよい。
【００１４】
また、インターホン機能のほかに少なくともリモコン機能を含む他の機能を備えており、他の機能の作動に伴う音声を上記スピーカで再生すると共に、集音マイクにて音声を集音している状態では上記再生禁止手段によって、上記他の機能の作動に伴う音声の再生を禁止することが望ましい。
【発明の効果】
【００１５】
以上の説明から明らかなように、請求項１に係る発明では、浴室に取り付けられるインターホン装置の集音マイクを筐体に集音用の開口を設けることなく取り付けたので、筐体内には水蒸気を含めて一切の水分が侵入せず、インターホン装置の信頼性が向上する。
【００１６】
請求項２に係る発明では、集音マイクを突起と筐体の内周面との間に挟み込んで保持するように構成したので、別途ネジなどの取り付け用の部品を用いる必要が無く、組み付け性が向上する。
【００１７】
請求項３に係る発明では、上記隙間を確保するスペーサ部を形成したので、集音マイクの集音部分が塞がれることがなく、筐体内に入った音声が確実に集音マイクに集音される。
【００１８】
請求項４に係る発明では、集音マイクの集音部分が対向する部分の厚みを他の部分の厚みより薄く成形したので、集音マイクにもっとも直接的に効率よく集音される音声の集音量を増加させることができる。
【００１９】
請求項５に係る発明では、スピーカから音声が再生されていない状態でも生じるホワイトノイズを集音マイクが集音しないようにして、集音マイクから出力される音声信号のＳ／Ｎ比を向上させることができる。
【００２０】
請求項６に係る発明では、インターホン機能として作動している状態でリモコン機能による音声信号の再生を禁止することにより、インターホン機能としての使い勝手を向上させることができる。
【発明を実施するための最良の形態】
【００２１】
図１を参照して、１は本発明にかかるインターホン装置である。このインターホン装置１は浴室に取り付けられるものであり、インターホン機能の他に浴室外の給湯装置の作動を制御するリモコン機能も備えている。
【００２２】
このインターホン装置１はケース本体２とこのケース本体２に対して水密に接合された蓋体３とで構成される筐体内に電子部品等が収納されている。そして、蓋体３の前面側には化粧用のカバー４が着脱自在に取り付けられる。
【００２３】
インターホン機能およびリモコン機能を使用する際には、カバー４の表面に形成されたボタン表示部４１を押し操作する。すると、蓋体３に取り付けた防水スイッチ３１のうち、押し操作されたボタン表示部４１に対応するものが押し込まれてオンするように構成されている。
【００２４】
このインターホン装置１は浴室外の例えば台所や玄関に設置した他のインターホン装置との間で通話するもので、これら他のインターホン装置からの音声信号は防水スピーカ３２で再生され、送話穴４２を通って浴室内に放送される。
【００２５】
図２および図３を参照して、浴室内の音声を集音し電気信号に変換する集音マイク５は蓋体３の内側に取り付けた。この集音マイク５を蓋体３に取り付けるために、蓋体３の内周壁面から本実施の形態では２本の突起３３を形成した。
【００２６】
集音マイク５は外周をゴム製のホルダ５１で覆われている。このホルダ５１は外周面が円筒状に形成されており、２本の突起３３と蓋体３の内面３ａとの間に挟まれるように押し込まれ、ホルダ５１の弾性力によって発生する突起３３および内面３ａとホルダ５１との間に生じる摩擦力によって保持され脱落することはない。
【００２７】
集音マイク５は集音部分が前方に向くように取り付けられるが、突起３３の基部にはスペーサ部３４が形成され、内面３ａに近傍にもスペーサ突起３５が形成されており、これらスペーサ部３４およびスペーサ突起３５に集音マイク５の前面が当接して、集音マイク５と蓋体３の内周壁面との間に、インターホン装置１の筐体内の音声Ｓａが通過することのできる隙間が形成される。
【００２８】
図４を参照して、浴室内の音声Ｓｂはカバー４および蓋体３を通過して筐体内に伝播する。このようにして筐体内に伝播した音声Ｓａはスペーサ部３４およびスペーサ突起３５によって形成された隙間を通って集音部５ａに到達し、集音マイク５によって集音され電気信号に変換される。なお、本実施の形態では、蓋体３の壁部のうち、集音部５ａが対向する部分の肉厚を他の部分より薄くして空間３０が形成されるようにした。これにより空間３０に直接伝播する音声Ｓｂが増加し、集音マイク５に集音される音声が多くなるようにした。
【００２９】
ただし、この空間３０が形成された部分の壁部の厚みは他の部分より薄くはなっているが、最低でも１ｍｍ以上の厚みを確保し、この空間３０が設けられた部分の機械的強度が低下しないようにした。したがって、この空間３０が形成された部分を表面側から押しても他の部分に対して大きく凹むようなことはない。
【００３０】
ところで、上記の実施の形態では、集音部５ａが前方に向き、蓋体３の壁部に対向するように取り付けたが、集音マイク５を９０度倒して集音部５ａが筐体内部の空間に対応するように取り付けてもまったく問題は生じない。
【００３１】
ところで、通話ボタンを押して集音マイク５で集音している状態では外部から話しかけが行われても上記防水スピーカ３２が作動しないようにした。また、リモコン機能が作動中であれば、各種の湯張り完了を示すブザー音やその他の報知音が防水スピーカ３２によって再生される。ただし、通話ボタンを押して集音マイク５で集音している状態ではこれらの報知音の再生も禁止するようにした。
【００３２】
なお、本発明は上記した形態に限定されるものではなく、本発明の要旨を逸脱しない範囲内において種々の変更を加えてもかまわない。
【図面の簡単な説明】
【００３３】
【図１】本発明の一実施の形態の構成を示す図
【図２】蓋体の裏側を示す図
【図３】集音マイクの取付部近傍を示す拡大図
【図４】取付状態の集音マイクを示す断面図
【符号の説明】
【００３４】
１  インターホン装置
２  ケース本体
３  蓋体
４  カバー
５  集音マイク
３ａ  内面
３２  防水スピーカ
３３  突起
３４  スペーサ部
３５  スペーサ突起
５ａ  集音部
５１  ホルダ
Ｓａ  音声
Ｓｂ  音声
【図１】
2006033494.tif 000003
【図２】
2006033494.tif 000004
【図３】
2006033494.tif 000005
【図４】
2006033494.tif 000006